(57)【要約】【課題】本発明はブルートゥースヘッドセット及びその着信通知方法の提供に目的がある。【解決手段】本発明は、電源スイッチ（３１）及びスピーカー（ＳＰＫ）を含む本体（ＢＤ）；前記本体に折畳式で連結され一部にマイク（ＭＩＣ）を設けたブーム（ＢＭ）；前記本体（ＢＤ）に対する前記ブーム（ＢＭ）の折畳状態に応じてオン／オフスイッチングするブームスイッチ（３２）；前記本体（ＢＤ）に内蔵され、前記電源スイッチ（３１）がオンされた状態で、前記ブームスイッチ（３２）のオン／オフ状態に応じて前記ブーム（ＢＭ）の折畳状態を感知し前記ブーム（ＢＭ）が展開された状態に該当すれば着信通知モードをメロディーモードに設定し、前記ブーム（ＢＭ）が折畳まれた状態に該当すれば着信通知モードを振動モードに設定し、着信号の受信時予め設定された着信通知モードで着信通知を制御する制御部（３３）；前記制御部（３３）の制御により振動する振動モーター（３６）を具備することを特徴とする。【選択図】図２
2004343675.tif 000002
【特許請求の範囲】
【請求項１】
ブルートゥース機能を搭載した通信端末機（２０）と無線信号を送受信するブルートゥースヘッドセット（３０）において、
電源スイッチ（３１）及びスピーカー（ＳＰＫ）を含む本体（ＢＤ）と、
前記本体に折畳式で連結されて一部にマイク（ＭＩＣ）を設けたブーム（ＢＭ）と、
前記本体（ＢＤ）に対する前記ブーム（ＢＭ）の折畳状態に応じてオン／オフスイッチングするブームスイッチ（３２）と、
前記本体（ＢＤ）に内蔵され、前記電源スイッチ（３１）がオンの状態において、前記ブームスイッチ（３２）のオン／オフ状態に応じて前記ブーム（ＢＭ）の折畳状態を感知し、前記ブーム（ＢＭ）が展開された状態に該当すれば着信通知モードをメロディーモードに設定し、前記ブーム（ＢＭ）が折畳まれた状態に該当すれば着信通知モードを振動モードに設定し、着信号受信の際に予め設定された着信通知モードで着信通知を制御する制御部（３３）と、
前記本体（ＢＤ）に内蔵されて前記制御部（３３）の制御に応じて振動する振動モーター（３６）と、
を具備することを特徴とするブルートゥースヘッドセット。
【請求項２】
前記ブームスイッチ（３２）は、前記ブーム（ＢＭ）が展開された状態でオンになり、前記ブーム（ＢＭ）が折畳まれた状態でオフになることを特徴とする請求項１に記載のブルートゥースヘッドセット。
【請求項３】
前記ブームスイッチ（３２）は、前記ブーム（ＢＭ）が展開された状態でオフになり、前記ブーム（ＢＭ）が折畳まれた状態でオンになることを特徴とする請求項１に記載のブルートゥースヘッドセット。
【請求項４】
前記制御部（３３）は、予め着信通知モードがメロディーモードに設定された状態において、着信号の受信時点からメロディーが出力される時間（Ｔ１）をカウントし、前記カウントと同時に前記スピーカー（ＳＰＫ）を通してメロディーの出力を制御し、前記カウントした時間（Ｔ１）が予め設定された第１時間（ＳＴ１）を経過すると前記振動モーター（３６）を動作させることを特徴とする請求項１に記載のブルートゥースヘッドセット。
【請求項５】
前記制御部（３３）は、予め着信通知モードがメロディーモードに設定された状態において、着信号の受信時点からメロディーが出力される時間（Ｔ１）をカウントし、前記カウントと同時に前記スピーカー（ＳＰＫ）を通してメロディーの出力を制御し、前記カウントした時間（Ｔ１）が予め設定された第１時間（ＳＴ１）を経過すると前記振動モーター（３６）を前記着信信号が受信される間に動作させることを特徴とする請求項１に記載のブルートゥースヘッドセット。
【請求項６】
ブルートゥース機能の搭載された通信端末機（２０）と無線信号を送受信するブルートゥースヘッドセット（３０）の着信通知方法において、
前記ブルートゥースヘッドセットの電源スイッチがオンになると、マイクを設けたブームの折畳状態を感知する段階（Ｓ６１〜Ｓ６３）と、
前記ブームが展開された状態に該当すると着信通知モードをメロディーモードに設定する段階（Ｓ６４）と、
前記ブームが折畳まれた状態に該当すると着信通知モードを振動モードに設定する段階（Ｓ６５）と、
着信号の受信時に予め設定された着信通知モードで着信を知らせる段階（Ｓ６６）と、
を有することを特徴とするブルートゥースヘッドセットの着信通知方法。
【請求項７】
前記着信通知段階（Ｓ６６）は、予め着信通知モードがメロディーモードに設定された状態において着信号の受信時、設定された第１時間（ＳＴ１）の間メロディーの出力を行い、設定された第１時間が経過すると振動を行うことを特徴とする請求項６に記載のブルートゥースヘッドセットの着信通知方法。
【請求項８】
前記着信通知段階（Ｓ６６）は、前記メロディーを出力する間に、前記着信号の受信が無い場合は着信通知を終了することを特徴とする請求項７に記載のブルートゥースヘッドセットの着信通知方法。
【請求項９】
前記着信通知段階（Ｓ６６）は、前記振動を行う間に、前記着信号の受信が無い場合は着信通知を終了することを特徴とする請求項７に記載のブルートゥースヘッドセットの着信通知方法。
【発明の詳細な説明】
【技術分野】
【０００１】
本発明はブルートゥースヘッドセット及びその着信通知方法に関するもので、とりわけ通信端末機に適用されるブルートゥースヘッドセットにおいて、マイクを設けたブームをオン／オフスイッチに具現し、このブームスイッチのオン／オフ動作に応じて着信通知モードを振動モードまたはメロディーモードに自動切替するようにし、未着用時のブームの折畳まれた状態では振動モードで動作して未着用時にも着信を報知するブルートゥースヘッドセット及びその着信通知方法に関するものである。
【背景技術】
【０００２】
一般に、無線通信技術の発展に伴い無線通信及びコンピュータ産業において低コスト、省電力の無線装置または無線リンクなどが実現できるようになり、スウェーデンのエリックソン（Ｅｒｉｃｓｓｏｎ）社により「ブルートゥース（ｂｌｕｅｔｏｏｔｈ）」」が定義された。ブルートゥースの目標は小型近距離無線による機動性とビジネスユーザーへの便利なサービスを提供することであり、低コスト、頑丈さ、能率、高容量、とりわけ音声とデータのネットワーキングを提供すべく格別にデザインされた。通常１０ｍ内のブルートゥースモジュールを具備した機器は無線リンクを通して音声（ｖｏｉｃｅ）及びデータ（ｄａｔａ）のリアルタイム伝送が可能である。ブルートゥースモジュールは小型マイクロチップ形態に作製可能なので通信装置へ容易に結合できるばかりでなく、グローバルに通信互換可能な周波数帯域である２．４ＧＨｚ帯域において動作するようになっている。
【０００３】
前記ブルートゥースは通信端末機、コンピュータ周辺機器、家電機器など各分野に適用されており、無線ヘッドセット（またはマイクロイヤホン）もその一つである。こうしたブルートゥースヘッドセットはヘッドホンのように聴くばかりでなくマイク機能も含んだ双方向音声を取扱うものである。このようなブルートゥースは通常２．４ＧＨｚ  ＩＳＭ（Ｉｎｄｕｓｔｒｉａｌ  Ｓｃｉｅｎｔｉｆｉｃ  Ｍｅｄｉｃａｌ）バンドを使って比較的簡便且つ低コストで実現でき、上記のように通常伝送メートルは１０メートルであるが、増幅器を追加すれば伝送距離が１００メートルまで延長できる。そして、ブルートゥースのマルチプレキシング方式においては低コストのために時間分割方式を用い３個の同期チャンネル及び１個の非同期チャンネルを有する。また、変調方式にはＧＦＳＫを用い、サーキットアンドパケットスイッチング（Ｃｉｒｃｕｉｔ  ａｎｄ  Ｐａｃｋｅｔ  Ｓｗｉｔｃｈｉｎｇ）方式を採用しピコネット（Ｐｉｃｏｎｅｔ）を形成して通信を行う。
【０００４】
最近、移動電話端末機とコンピュータなど異なる音声またはデータ処理装置同士の短距離通信を支援すべく移動電話端末機に予めブルートゥースモジュールを内蔵して製品が発売されており、最近売り出されるブルートゥースヘッドセット（Ｂｌｕｅｔｏｏｔｈ  Ｈｅａｄｓｅｔ）は音声通話の基本機能にユーザーの便宜を増大させるべく付加的な機能を追加する方向へ進んでいる実状である。
【０００５】
一方、現在販売されているブルートゥースヘッドセット（Ｂｌｕｅｔｏｏｔｈ  Ｈｅａｄｓｅｔ）を機構において大別すると、ブーム（Ｂｏｏｍ）を適用したものとそうでないものとに区分できるが、ここでブーム（Ｂｏｏｍ）を使用しない場合は大きさを縮められるよう折畳み可能になっており、ブルートゥースヘッドセット（Ｂｌｕｅｔｏｏｔｈ  Ｈｅａｄｓｅｔ）を耳に着用し電話通話の際に展開してブーム端部に設けたマイクが口元に位置するようにし音声が相手方によく伝わるようにする役目を果たす。
【０００６】
図７の（Ａ）ないし（Ｃ）は従来の無線ヘッドセットの概略図である。図７の（Ａ）ないし（Ｃ）にあらわす無線ヘッドセットモジュール（１１０）は柔軟性イヤーフック（１１２）と、この柔軟性イヤーフック（１１２）の一端に連結されたイヤーピース（１１３）と、前記イヤーピース（１１３）に着脱可能なスピーカーモジュール（１１４）と、前記スピーカーモジュール（１１４）の一側に位置されたスピーカーモジュール（１２４）と、前記スピーカーモジュール（１１４）の反対側または他の位置に設置され得る電源オン／オフボタン（１２６）と、前記柔軟性イヤーフック（１１２）の端部のうち前記イヤーピース（１１３）の対向位置に設けられた送受信機（１２０）と、前記送受信機（１２０）の後側に設けられたボリューム制御ボタン（１２８）と、前記送受信機（１２０）の端部且つ前記柔軟性イヤーフック（１１２）の反対側に設けられたバッテリーモジュール（１２２）と、前記イヤーピース（１１３）に対して回転するよう設けられたブーム（１１６）と、前記ブーム（１１６）の一端に設けられたマイクロホン（１１８）とを含む。
【０００７】
このような構成要素１１６、１１３、１１２、１２０及び１２２はモジュールとして相互分離することができ、代替構成要素が必要な場合は他の構成に挿入することができる。これに係る詳細な説明は米国特許第６２３００２９号に記載されている。
【０００８】
このような従来の無線ヘッドセットは携帯電話（ｃｅｌｌｕｌａｒ  ｐｈｏｎｅ）と無線通信が可能で使用し易い利点はあるが、図７にあらわす従来の無線ヘッドセットにおいては着信号受信時、これを知らせる方法について特に言及しているものがない。
【０００９】
図８は従来の無線ヘッドセットのブロック構成図である。図８にあらわす従来の無線ヘッドセット（１３０）はブルートゥース機能を搭載した通信端末機（１４０）とリンク連結して通話できるブルートゥースモジュールを具備した通信補助端末である。無線ヘッドセット（１３０）はスピーカー（ＳＰＫ）、マイクロホン（ＭＩＣ）及び電源スイッチ（１３１）などを具備し、ブルートゥースモジュールを通してブルートゥースモジュールを装着した他の通信端末機と通信を行う。ここで、ブルートゥースモジュールは通信用ヘッドセット（１３０）の全般的な制御を行う制御部（１３２）を始めＲＦ送受信部（１３３）、音声処理部（１３４）などから成り、このブルートゥースモジュールはブルートゥースプロトコルによるブルートゥース機器と通信を可能にするモジュールとして、ブルートゥースモジュール同士はＨＣＩ（Ｈｏｓｔ  Ｃｏｎｔｒｏｌ  Ｉｎｔｅｒｆａｃｅ）というインターフェースが定義され、これに準ずるメッセージパケットをやりとりすることで制御命令とその結果及びユーザーデータを送受信する。これに係る詳細な説明は大韓民国公開特許公報第２００３−００１０２１３号に記載されている。
【００１０】
このような従来の無線ヘッドセットは通信端末機と無線通信することができて使用し易い利点はあるが、図８にあらわす従来の無線ヘッドセットにおいては着信号の受信時、これを知らせる方法について特に言及されるものがない。
【００１１】
図７及び図８にあらわす従来のブルートゥースヘッドセット（Ｂｌｕｅｔｏｏｔｈ  Ｈｅａｄｓｅｔ）は電話がかかってくるとスピーカーからメロディーが鳴り出すようになっており、ユーザーはこの音を聞いてブルートゥースヘッドセット（Ｂｌｕｅｔｏｏｔｈ  Ｈｅａｄｓｅｔ）の通話ボタンを押して電話通話をすることになる。
【特許文献１】米国特許第６２３００２９号
【特許文献２】大韓民国公開特許公報第２００３−００１０２１３号
【発明の開示】
【発明が解決しようとする課題】
【００１２】
ところで、こうしたブルートゥースヘッドセット（Ｂｌｕｅｔｏｏｔｈ  Ｈｅａｄｓｅｔ）を耳に着用している場合にはメロディーを聞いて電話がかかって来たことがわかるが、ブルートゥースヘッドセットをテーブルに置いていたりポケットに入れた状態ではブルートゥースヘッドセットのスピーカーから鳴るメロディー音が小さすぎて電話がかかってきたことに全く気付かないという問題点があった。
【００１３】
本発明は上述した問題点を解決すべく案出されたもので、その目的は、通信端末機に適用されるブルートゥースヘッドセットにおいて、マイクを設けたブームをオン／オフスイッチに具現し、このブームスイッチのオン／オフ動作に応じて着信通知モードを振動モードまたはメロディーモードに自動切替するようにさせ、未着用時にブームが折畳まれた状態では振動モードで動作して未着用時でも着信を報知するブルートゥースヘッドセット及びその着信通知方法を提供することにある。
【課題を解決するための手段】
【００１４】
前記した本発明の目的を成し遂げるために、本発明のブルートゥースヘッドセットは、ブルートゥース機能を搭載した通信端末機と無線信号を送受信するブルートゥースヘッドセットにおいて、電源スイッチ及びスピーカーを含む本体；前記本体に折畳式で連結され一部にマイクを設けたブーム；前記本体に対する前記ブームの折畳状態に応じてオン／オフスイッチングするブームスイッチ；前記本体に内蔵され、前記電源スイッチがオンされた状態で、前記ブームスイッチのオン／オフ状態に応じて前記ブームの折畳状態を感知し前記ブームが展開された状態に該当すれば着信通知モードをメロディーモードに設定し、前記ブームスイッチがブームの折畳状態に該当すれば着信通知モードを振動モードに設定し、着信号の受信時予め設定された着信通知モードで着信通知を制御する制御部；及び、前記制御部の制御に応じて振動する振動モーターを具備することを特徴とする。
【００１５】
さらに、本発明のブルートゥースヘッドセットの着信通知方法は、ブルートゥース機能を搭載した通信端末機と無線信号を送受信するブルートゥースヘッドセットの着信通知方法において、前記ブルートゥースヘッドセットの電源スイッチがオンになると、マイクを設けたブームの折畳状態を感知する段階；前記ブームが展開された状態に該当すれば着信通知モードをメロディーモードに設定する段階；前記ブームが折畳まれた状態に該当すれば着信通知モードを振動モードに設定する段階；及び、着信号の受信時予め設定された着信通知モードで着信を知らせる段階から成ることを特徴とする。
【発明の効果】
【００１６】
上述したような本発明によれば、通信端末機に適用されるブルートゥースヘッドセットにおいて、マイクを設けたブームをオン／オフスイッチに具現し、このブームスイッチのオン／オフ動作に応じて着信通知モードを振動モードまたはメロディーモードに自動切替するようにすることで、未着用時にブームが折畳まれた状態においては振動モードで動作して未着用時にも着信を報知する効果を奏する。
【発明を実施するための最良の形態】
【００１７】
以下、本発明の好ましき実施例を添付の図面に基づき詳しく説明する。本発明において参照する図面において実質的に同一構成と機能を有する構成要素は同一符号を用いる。
【００１８】
図１は本発明による無線ヘッドセットの全体構成図で、図２は本発明による無線ヘッドセットの全体ブロック図である。図１及び図２によると、本発明によるブルートゥースヘッドセット（３０）はブルートゥース機能を搭載した通信端末機（２０）と無線信号を送受信するブルートゥースヘッドセットとして、電源スイッチ（３１）及びスピーカー（ＳＰＫ）を含む本体（ＢＤ）と、前記本体に折畳式で連結されて一部にマイク（ＭＩＣ）を設けたブーム（ＢＭ）と、前記本体（ＢＤ）に対する前記ブーム（ＢＭ）の折畳状態に応じてオン／オフスイッチングするブームスイッチ（３２）と、前記本体（ＢＤ）に内蔵され、前記電源スイッチ（３１）がオンされた状態で、前記ブームスイッチ（３２）のオン／オフ状態に応じて前記ブーム（ＢＭ）の折畳状態を感知し前記ブーム（ＢＭ）が展開された状態に該当すれば着信通知モードをメロディーモードに設定し、前記ブーム（ＢＭ）が折畳まれた状態を感知すれば着信通知モードを振動モードに設定し、着信号の受信時に予め設定された着信通知モードで着信通知を制御する制御部（３３）と、前記本体（ＢＤ）に内蔵されて前記制御部（３３）の制御に応じて振動する振動モーター（３６）とで成る。
【００１９】
前記ブームスイッチ（３２）は前記ブーム（ＢＭ）が展開された状態でオンされ、前記ブーム（ＢＭ）の折畳まれた状態でオフされるよう具現でき、または前記ブーム（ＢＭ）が展開された状態でオフされ、前記ブーム（ＢＭ）が折畳まれた状態でオンされるよう具現することもできる。
【００２０】
前記制御部（３３）は予め着信通知モードがメロディーモードに設定された状態において、着信号の受信時点からメロディーが出力される時間（Ｔ１）をカウントし、これと同時に前記スピーカー（ＳＰＫ）を通してメロディーの出力を制御して、前記カウントされた時間（Ｔ１）が予め設定された第１時間（ＳＴ１）を経過すると前記振動モーター（３６）を動作させるよう構成することができる。
【００２１】
さらに、前記制御部（３３）は予め着信通知モードがメロディーモードに設定された状態で、着信号の受信時点からメロディーが出力される時間（Ｔ１）をカウントし、これと同時に前記スピーカー（ＳＰＫ）を通してメロディーの出力を制御して、前記カウントされた時間（Ｔ１）が予め設定された第１時間（ＳＴ１）を経過すると前記振動モーター（３６）を前記着信信号が受信される間動作するよう構成することができる。
【００２２】
図３の（Ａ）及び（Ｂ）は図２のブームスイッチの等価回路図として、（Ａ）はブーム（ＢＭ）が折畳まれた状態でオフ（ＯＦＦ）になり、展開された状態でオン（ＯＮ）になるブームスイッチの等価回路図で、（Ｂ）はブーム（ＢＭ）が折畳まれた状態でオン（ＯＮ）になり、展開された状態でオフ（ＯＦＦ）になるブームスイッチの等価回路図である。図４の（Ａ）及び（Ｂ）は図２におけるブームスイッチの折畳まれた状態及び展開された状態図として、（Ａ）はブームが折畳まれた状態図、（Ｂ）はブームの展開された状態図である。
【００２３】
以下、本発明の作用及び効果を添付の図１ないし図５に基づき詳細に説明する。本発明のブルートゥースヘッドセット（３０）は無線ヘッドセットまたはマイクロイヤホンに該当するが、これは携帯電話などの通信端末機（２０）と無線信号を送受信する。例えば、携帯電話と、この携帯電話と無線送受信するブルートゥースヘッドセットの場合、携帯電話から電話がかかってくると、この信号をブルートゥースヘッドセットに無線送信し、この際、前記ブルートゥースヘッドセットはユーザーに着信を知らせる（報知）ことになる。
【００２４】
図５は本発明による無線ヘッドセットの着信通知方法をあらわすフローチャートである。図１ないし図５によると、先ず、本発明のブルートゥースヘッドセット（３０）の電源スイッチ（３１）がオンになると、前記ブルートゥースヘッドセット（３０）の制御部（３３）はマイク（ＭＩＣ）を設けたブーム（ＢＭ）の折畳状態を感知する（Ｓ６１−Ｓ６３）。
【００２５】
ここで、本発明のブーム（ＢＭ）は２種の状態、即ち図４の（Ａ）のように通常着用しない場合に相応する折畳まれた状態、または図４の（Ｂ）のように通常着用する状態に相応する展開された状態になることができる。
【００２６】
再び図３の（Ａ）を参照に説明すれば、ユーザーがブルートゥースヘッドセット（Ｂｌｕｅｔｏｏｔｈ  Ｈｅａｄｓｅｔ）で電話通話を済ませ耳から外した後、ブーム（ＢＭ）を折畳んだ場合はブーム（ＢＭ）に付着される「ＳＢ」が「ＳＰ１」と「ＳＰ２」との連結を切る。この際、「ＳＰ１」と「ＳＰ２」を経てブルートゥースヘッドセット（３０）の制御部（３３）が前記ブームスイッチ（３２）のオン／オフ状態に応じて変化する電位によりブーム（ＢＭ）の状態を感知する。
【００２７】
こうした前記ブーム（ＢＭ）の各状態に対応して、本発明のブームスイッチ（３２）がオンに設定されもし、またはオフに設定されもするが、この際、本発明の制御部（３３）は前記ブーム（ＢＭ）が折畳まれた状態に対応するブームスイッチ（３２）の状態に基づきブーム（ＢＭ）の折畳まれた状態を認識し、また前記ブーム（ＢＭ）が展開された状態に対応するブームスイッチ（３２）の状態に基づきブーム（ＢＭ）の展開された状態を認識するようになっている。
【００２８】
次いで、前記制御部（３３）は前記ブームが展開された状態に該当することを感知すると着信通知モードをメロディーモードに設定する（Ｓ６４）。逆に、前記制御部（３３）は前記ブーム（ＢＭ）が折畳まれた状態に該当することを感知すると着信通知モードを振動モードに設定する（Ｓ６５）。即ち、前記制御部（３３）は前記ブーム（ＢＭ）が折畳まれた状態においては着信通知モードを振動モードに、前記ブーム（ＢＭ）の展開された状態においては着信通知モードをメロディーモードに設定する。
【００２９】
このように着信通知モードが設定された後、前記通信端末機（２０）からアンテナ（ＡＮＴ）及びＲＦ送受信部（３４）を通して着信号が受信されると、前記制御部（３３）は予め設定された着信通知モードで着信通知を制御する（Ｓ６６）。
【００３０】
以下、本発明の着信通知過程について説明すれば次のとおりである。本発明の着信通知動作に対する一実施例として、前記制御部（３３）は予め着信通知モードがメロディーモードに設定された状態で、前述したように前記通信端末機（２０）からアンテナ（ＡＮＴ）及びＲＦ送受信部（３４）を通して着信号が受信されると、設定された時間（ＳＴ１）の間メロディーの出力を制御しスピーカー（ＳＰＫ）から着信を知らせるメロディーが出力される。このメロディーが出力される間、ブームは展開されているが実際着用していない場合として設定された時間が経過すると、前記制御部（３３）は振動を制御し、これによって振動モーター（３６）が作動して着信を振動で知らせることになる。
【００３１】
さらに、前記制御部（３３）は前記着信信号が受信される間に振動を制御し、これにより振動モーター（３６）が作動して着信を振動で知らせるようになる。前述したように、本発明のブルートゥースヘッドセット（３０）においては、ブーム（ＢＭ）の展開された状態を着用状態として感知し低出力のメロディーでも着用者が着信の有無を認識できるので着信通知はメロディーで行われる。これに比べて、ブーム（ＢＭ）の折畳まれた状態を未着用状態として感知し、このように未着用状態においては低出力のメロディーでは着信の有無を知らせ難いので、この場合は着信通知は振動で行われる。
【００３２】
図６は図５の着信通知過程に対するフローチャートである。図６を参照して前記着信通知過程（Ｓ６６）についてより詳しく説明すると、先ず、予め着信通知モードがメロディーモードに設定された状態で、着信号の受信の有無をチェックし（Ｓ６６１）、着信号の受信時、着信号受信時点からメロディーが出力される時間（Ｔ１）をカウントし（Ｓ６６２）、これと同時に前記スピーカー（ＳＰＫ）を通してメロディーの出力を制御する（Ｓ６６３）。
【００３３】
そして、メロディーが出力される間通話が行われず着信信号が受信されている状態と判断されると（Ｓ６６４、Ｓ６６５）、前記カウントされた時間（Ｔ１）が予め設定された時間（ＳＴ１）を経過するか否かを判断し（Ｓ６６６）、前記カウントされた時間（Ｔ１）が設定時間（ＳＴ１）を経過する時点から前記振動モーター（３６）を動作させる（Ｓ６６７）。ここで、通話状態になったり着信信号が受信されない場合は通知モードを終了する。
【００３４】
さらに、振動が行われる間通話が行われない状態で、前記着信信号が受信されるか否かを判断し（Ｓ６６８、Ｓ６６９）、通話状態でなく着信信号が受信される間は前記振動を行い続け、通話状態になったり着信信号が受信されない場合は着信通知モードを終了する（Ｓ６７０）。
【００３５】
前述した本発明においては、ブーム（ＢＭ）を用いたブルートゥースヘッドセット（Ｂｌｕｅｔｏｏｔｈ  Ｈｅａｄｓｅｔ）に振動器（Ｖｉｂｒａｔｏｒ）を適用し、ブルートゥースヘッドセット（Ｂｌｕｅｔｏｏｔｈ  Ｈｅａｄｓｅｔ）を使用しない場合はブーム（ＢＭ）を折畳むのでブルートゥースヘッドセット（Ｂｌｕｅｔｏｏｔｈ  Ｈｅａｄｓｅｔ）が自動に振動モードに設定され、使用するためにブーム（ＢＭ）を展開した場合は再びメロディーモードに切換えられるのである。
【００３６】
そればかりでなく、メロディーモード、即ちブームが展開された状態でも着用しない場合があり得るが、この場合に備えて、本発明においてはメロディー出力時間を設定しておき、設定時間以上メロディーが出力される場合にはブームが展開されていても未着用状態として認識し自動的に振動動作させるようにした。前述のような本発明を適用する通信端末機は携帯電話などの移動通信端末機を含むことができる。
【００３７】
以上の説明は本発明の具体的な実施例に対する説明に過ぎず、本発明はこうした具体的な実施例に限らず、また本発明に対する上述の具体的な実施例からその構成における多様な変更及び改造が可能なことは本発明の属する技術分野において通常の知識を有する者であれば容易に想到することができる。
【図面の簡単な説明】
【００３８】
【図１】本発明による無線ヘッドセットの全体構成図である。
【図２】本発明に応じた無線ヘッドセットのブロック構成図である。
【図３】（Ａ）及び（Ｂ）は図２におけるブームスイッチの等価回路図である。
【図４】（Ａ）及び（Ｂ）は図２におけるブームスイッチの折畳まれた状態及び展開された状態図である。
【図５】本発明による無線ヘッドセットの着信通知方法を表すフローチャートである。
【図６】図５の着信通知過程を表すフローチャートである。
【図７】（Ａ）ないし（Ｃ）は従来の無線ヘッドセットの概略図である。
【図８】従来の無線ヘッドセットのブロック構成図である。
【符号の説明】
【００３９】
ＢＤ  本体
ＢＭ  ブーム
２０  通信端末機
３０  無線ヘッドセット
３１  電源スイッチ
３２  ブームスイッチ
３３  制御部
３４  ＲＦ送受信部
３５  音声処理部
３６  振動モーター
ＳＰＫ  スピーカー
ＭＩＣ  マイク
【図１】
2004343675.tif 000003
【図２】
2004343675.tif 000004
【図３】
2004343675.tif 000005
【図４】
2004343675.tif 000006
【図５】
2004343675.tif 000007
【図６】
2004343675.tif 000008
【図７】
2004343675.tif 000009
【図８】
2004343675.tif 000010